(57)【要約】【課題】コネクタ外形寸法の長大化や高さ寸法の増大を招くことを抑制でき、小型でコンパクトな圧接コネクタを提供する。【解決手段】端子１１には、開口形成されて電線９の端部９ａが挿入されるスロット部１５が設けられてここで端部９ａと圧接される。コネクタハウジング１２は、端子１１を支持する支持部１６と、その端子１１に端部９ａを圧接するために圧接荷重が付加される受圧部１７と、が設けられて相手側コネクタ１０に接続される。一対の係合アーム１３は、コネクタハウジング１２における幅方向両側にそれぞれ設けられ、相手側コネクタに係合する係合部をそれぞれ有し、撓み変形可能なアーム状に形成されている。受圧部１７は、平板状に形成され、一対の係合アーム１３の間に配置されている。【選択図】図１
2008027727.tif 000002
【特許請求の範囲】
【請求項１】
筒状体として形成される部分を有する少なくとも１つの端子を支持した状態で圧接荷重が付加されることで電線の端部が前記端子に圧接される圧接コネクタであって、
前記筒状体の長手方向と直交する方向に向かって開口形成されて電線の端部が挿入されるスロット部が設けられ、このスロット部にて前記電線の端部と圧接される少なくとも１つの前記端子と、
前記端子を収容するように支持する支持部と、当該支持部に支持された前記端子に電線の端部を圧接するために圧接荷重が付加される受圧部と、が設けられて相手側コネクタに接続されるコネクタハウジングと、
前記コネクタハウジングにおける幅方向両側にそれぞれ設けられ、前記相手側コネクタに係合する係合部をそれぞれ有するとともに撓み変形可能なアーム状に形成された一対の係合アームと、
を備え、
前記受圧部は、前記コネクタハウジングの外壁の一部として平板状に形成されているとともに、前記一対の係合アームの間に配置されていることを特徴とする圧接コネクタ。
【請求項２】
前記一対の係合アームにおけるそれぞれの一端側を連結して架橋するように形成され、押圧操作されることで前記一対の係合アームを撓ませる操作部をさらに備えていることを特徴とする請求項１に記載の圧接コネクタ。
【請求項３】
前記受圧部は矩形状に形成され、
前記一対の係合アームおよび前記操作部は、前記受圧部の周囲の三辺に沿って配置されているとともに当該受圧部に対して隙間を介して配置されていることを特徴とする請求項２に記載の圧接コネクタ。
【請求項４】
前記一対の係合アームは、当該係合アームにおいて突設された前記係合部の高さが前記コネクタハウジングの高さ方向における前記受圧部の高さ範囲内に収まるように形成されていることを特徴とする請求項１乃至請求項３のいずれか１項に記載の圧接コネクタ。
【請求項５】
前記一対の係合アームは前記コネクタハウジングに対してそれぞれ片持ち状に支持され、前記各係合部は前記各係合アームにおいて前記コネクタハウジングに支持されている側とは反対側の自由端側に配設されていることを特徴とする請求項１乃至請求項４のいずれか１項に記載の圧接コネクタ。
【発明の詳細な説明】
【技術分野】
【０００１】
本発明は、筒状体として形成される部分を有する少なくとも１つの端子を支持した状態で圧接荷重が付加されることで電線の端部がその端子に圧接される圧接コネクタに関する。
【背景技術】
【０００２】
従来、筒状体として形成される部分を有する少なくとも１つの端子を支持した状態で圧接荷重が付加されることで電線の端部がその端子に圧接される圧接コネクタとして、ロック機構が付いていても圧接機による電線の圧接を可能とするものが知られている（特許文献１参照）。特許文献１に記載された圧接コネクタは、コネクタハウジングのうちコンタクトのスロットを収容するコネクタハウジング後半部がロック機構の支持部および弾性アームよりも後側に設けられている。そして、コネクタハウジング後半部の高さ方向の一方の端にある外壁面にスロットに連通する電線挿入口が開口形成されるとともに、その反対側の外壁のスロットに対応する部分に圧接荷重を受け止める受圧壁が形成されている。
【０００３】
【特許文献１】特開２００１−２８３９５１号公報
【発明の開示】
【発明が解決しようとする課題】
【０００４】
しかしながら、特許文献１に記載された圧接コネクタでは、圧接荷重を受け止める受圧壁が形成されるコネクタハウジング後半部は、受圧壁のスペースを確保するためにコネクタハウジングにおいてロック機構よりも後側に設けられている。このため、コネクタハウジング全体の外形が長大化してしまい、コネクタ配設スペースに関して制約が増してしまうことになる。また、ロック機構の支持部はコネクタハウジングの高さ方向において外方に突出形成されており、相手側コネクタに係合する係合部を有するロック機構のアームがこの支持部に連結されるとともに前後方向に延びる形状になっている。このため、コネクタハウジングの高さ方向の寸法も大きくなってしまう。すなわち、コネクタハウジングの厚みも大きくなってしまい、コネクタ配設スペースに関する制約が増してしまう。
【０００５】
本発明は、上記実情に鑑みることにより、相手側コネクタに係合するためのロック機構も備えた圧接コネクタに関し、コネクタ外形寸法の長大化や高さ（厚み）寸法の増大を招くことを抑制でき、小型でコンパクトな圧接コネクタを提供することを目的とする。
【課題を解決するための手段及び効果】
【０００６】
本発明の圧接コネクタは、筒状体として形成される部分を有する少なくとも１つの端子を支持した状態で圧接荷重が付加されることで電線の端部が前記端子に圧接される圧接コネクタに関する。
そして、本発明は、上記目的を達成するために以下のようないくつかの特徴を有している。即ち、本発明は、以下の特徴を単独で、若しくは、適宜組み合わせて備えている。
【０００７】
上記目的を達成するための本発明に係る圧接コネクタにおける第１の特徴は、前記筒状体の長手方向と直交する方向に向かって開口形成されて電線の端部が挿入されるスロット部が設けられ、このスロット部にて前記電線の端部と圧接される少なくとも１つの前記端子と、前記端子を収容するように支持する支持部と、当該支持部に支持された前記端子に電線の端部を圧接するために圧接荷重が付加される受圧部と、が設けられて相手側コネクタに接続されるコネクタハウジングと、前記コネクタハウジングにおける幅方向両側にそれぞれ設けられ、前記相手側コネクタに係合する係合部をそれぞれ有するとともに撓み変形可能なアーム状に形成された一対の係合アームと、を備え、前記受圧部は、前記コネクタハウジングの外壁の一部として平板状に形成されているとともに、前記一対の係合アームの間に配置されていることである。
【０００８】
この構成によると、相手側コネクタに係合する一対の係合アームがコネクタハウジングにおける幅方向両側に設けられている。そして、圧接荷重が付加される受圧部は、コネクタハウジングの一部として平板状に形成されているとともに一対の係合アームの間に配置されている。このため、受圧部としてのまとまった広いスペースをコネクタハウジングの中央壁面付近に十分に確保することができ、且つ、コネクタハウジングの幅方向両側に効率よく配設された係合アームの配置スペースが受圧部の配置スペースの寸法的制約となってしまうことも防止できる。すなわち、従来技術のように受圧壁のスペースを確保するために長大化を招いてしまうことも防止できる。また、係合アームはコネクタハウジングの幅方向両側に設けられているため、コネクタハウジング高さ方向の寸法が増大してしまうことも防止できる。したがって、相手側コネクタに係合するためのロック機構も備えた圧接コネクタに関し、コネクタ外形寸法の長大化や高さ（厚み）寸法の増大を招くことを抑制でき、小型でコンパクトな圧接コネクタを得ることができる。
【０００９】
本発明に係る圧接コネクタにおける第２の特徴は、前記一対の係合アームにおけるそれぞれの一端側を連結して架橋するように形成され、押圧操作されることで前記一対の係合アームを撓ませる操作部をさらに備えていることである。
【００１０】
この構成によると、一対の係合アームの各一端側を架橋する操作部を押圧操作することで、一対の係合アームを同時に撓ませることができ、係合アームの操作性を向上させることができる。
【００１１】
本発明に係る圧接コネクタにおける第３の特徴は、前記受圧部は矩形状に形成され、前記一対の係合アームおよび前記操作部は、前記受圧部の周囲の三辺に沿って配置されているとともに当該受圧部に対して隙間を介して配置されていることである。
【００１２】
この構成によると、一対の係合アームとその各一端側を架橋する操作部とが、矩形状に形成された受圧部の周囲の三辺に沿って配置されている。このため、係合アームおよび操作部の配置スペースを受圧部の周囲にコンパクトに集約でき、係合アームおよび操作部の配置スペースが受圧部の配置スペースの寸法制約となってしまうことを抑制できる。そして、係合アームおよび操作部は受圧部に対して隙間を介して配置されているため、操作部の押圧操作が行われる際に、係合アームおよび操作部が受圧部と干渉することも防止できる。このため、係合アームおよび操作部を受圧部に対して平面的に密集するようにコンパクトに配設でき、コネクタハウジング高さ（厚み）方向の寸法が増大してしまうことを防止できる。
【００１３】
本発明に係る圧接コネクタにおける第４の特徴は、前記一対の係合アームは、当該係合アームにおいて突設された前記係合部の高さが前記コネクタハウジングの高さ方向における前記受圧部の高さ範囲内に収まるように形成されていることである。
【００１４】
この構成によると、係合アームにおける係合部の高さがコネクタハウジング高さ方向における受圧部の高さ範囲内に収まるように形成されているため、圧接コネクタの高さ（厚み）寸法の増大を招いてしまうことをより効率よく抑制できる。
【００１５】
本発明に係る圧接コネクタにおける第５の特徴は、前記一対の係合アームは前記コネクタハウジングに対してそれぞれ片持ち状に支持され、前記各係合部は前記各係合アームにおいて前記コネクタハウジングに支持されている側とは反対側の自由端側に配設されていることである。
【００１６】
この構成によると、係合アームにおいてコネクタハウジングに支持されている側とは反対側の自由端側に係合部が配設されているため、撓み変位量の大きい位置に係合部が配置されることになる。このため、コネクタハウジングが相手側コネクタに接続されて係合部が相手側コネクタへ係合する際に係合アームの弾性回復に伴い生じる瞬間的で明確な振動を発生させ易くすることができる。そして、コネクタハウジングを相手側コネクタに接続する作業を行っている作業者は、その瞬間的な振動を手で感じることにより、又は、その瞬間的な振動に伴って発生する音を聴覚で認識することにより、すなわち、コネクタハウジングと相手側コネクタとの良好な嵌合感を知覚することにより、コネクタハウジングと相手側コネクタとが適切に接続されたことを容易に確認することができる。
【発明を実施するための最良の形態】
【００１７】
以下、本発明を実施するための形態について図面を参照しつつ説明する。なお、本発明は、筒状体として形成される部分を有する少なくとも１つの端子を支持した状態で圧接荷重が付加されることで電線の端部がその端子に圧接される圧接コネクタに対して広く適用することができるものである。
【００１８】
（第１実施形態）
図１および図２は、本発明の第１実施形態に係る圧接コネクタ１を例示した斜視図である。なお、図１と図２では、互いに異なる方向から見た斜視図を示している。図１および図２に示すように、圧接コネクタ１は、複数の端子１１、コネクタハウジング１２、一対の係合アーム１３、操作部１４等を備えて構成されている。
【００１９】
また、図３および図４は圧接コネクタ１と相手側コネクタ１０とを示す斜視図であり、図３は両コネクタが接続される前の状態を、図４は両コネクタが接続されている状態を示している。図３に示すように、相手側コネクタ１０には開口１０ａが形成されている。そして、この開口１０ａに圧接コネクタ１の先端側が挿入されることで、圧接コネクタ１が相手側コネクタ１０に対して嵌合して接続される。これにより、圧接コネクタ１と相手側コネクタ１０とが機械的に接続されるとともに、圧接コネクタ１に備えられた端子１１と相手側コネクタ１０に備えられた相手側端子８とが電気的に接続されることになる。
【００２０】
次に、圧接コネクタ１の構成について詳しく説明する。図２に示すように、圧接コネクタ１に備えられている複数の端子１１は、筒状体として形成される部分を有しており、この筒状体の側方に向かって開口形成されたスロット部１５が一端側に設けられている。また、スロット部１５が設けられる一端側とは反対側の他端側は、上述した筒状体として形成されている部分であって、相手側コネクタ１０の相手側端子８の先端が嵌挿されてこの相手側端子８と接続される接続部２０（図７参照）を構成している。この端子１１は、後述するように、スロット部１５にて電線９の端部と圧接されるようになっている。
【００２１】
圧接コネクタ１におけるコネクタハウジング１２は、図１乃至図３に示すように、支持部１６と受圧部１７とが設けられており、相手側コネクタ１０に接続される。支持部１６はコネクタハウジング１２において複数設けられており、各支持部１６は溝状に形成されて各端子１１が嵌め込まれるようになっている。受圧部１７は、矩形状に形成されており、さらに、コネクタハウジング１２の外壁の一部として平板状に形成されている。そして、この受圧部１７は、後述するように、支持部１６に支持された端子１１に電線９の端部を圧接するために圧接荷重が付加される位置となっている。
【００２２】
圧接コネクタ１に備えられる一対の係合アーム１３は、コネクタハウジング１２における幅方向両側にそれぞれ設けられており、コネクタハウジング１２の一方の側方に配置される係合アーム１３ａと他方の側方に配置される係合アーム１３ｂとで構成されている。すなわち、コネクタハウジング１２の受圧部１７が、一対の係合アーム１３の間に配置されているようになっている。各係合アーム１３は、コネクタハウジング１２に対してそれぞれ片持ち状に支持されており、撓み変形可能なアーム状に形成されている。また、各係合アーム１３は、この係合アーム１３のアーム部分から突設されて相手側コネクタ１０に係合する各係合部１８をそれぞれ備えている。すなわち、本実施形態では、係合部１８が、相手側コネクタ１０に係合するためのロック機構を構成している。各係合部１８は、各係合アーム１３においてコネクタハウジング１２に支持されている側とは反対側の自由端側に配設されている。そして、各係合アーム１３においては、突設された係合部１８の高さがコネクタハウジング１２の高さ方向（厚み方向）における受圧部１７の高さ範囲内に収まるように形成されている。なお、各係合部１８は、圧接コネクタ１が相手側コネクタ１０に接続されたときに、相手側コネクタ１０の開口１０ａ内に形成されている各係合凹部１９とそれぞれ係合するようになっている。図３では、係合凹部１９が相手側コネクタ１８において貫通形成されている場合を例示している。
【００２３】
圧接コネクタ１に備えられる操作部１４は、一対の係合アーム１３におけるそれぞれの一端側を連結して架橋するように形成されている。そして、この操作部１４は、圧接コネクタ１と相手側コネクタ１０との接続作業を行う作業者によって押圧操作が行われることで、一対の係合アーム１３を撓ませることができるようになっている。操作部１４および一対の係合アーム１３は、コネクタハウジング１２の矩形状の受圧部１７の周囲の三辺に沿って配置されているとともに、受圧部１７に対して隙間を介して配置されている。
【００２４】
次に、端子１１を支持したコネクタハウジング１２に対してその受圧部１７において圧接荷重を付加することで電線９の端部を端子１１に圧接する工程について説明する。図５は電線９の端部を端子１１に圧接する工程を説明する側面図を示したものであり、図６はその断面図を示したものである。まず、コネクタハウジング１２に端子１１を支持した状態で、電線９の端部９ａ（図６参照）を端子１１のスロット部１５に対応させるように配置する。そして、この状態で、コネクタハウジング１２をその受圧部１７にて当接させるように受け動作側の圧接パンチ２２上に配置して、図５および図６に示すように、圧接動作側の圧接パンチ２１を端子９の端部９ａの上方からコネクタハウジング１２に向かって押し付けることでコネクタハウジング１２等に対して圧接荷重を付加する。すなわち、端子１１を支持したコネクタハウジング１２および電線９の端部９ａが圧接動作側の圧接パンチ２１と受け動作側の圧接パンチ２２との間に配置された状態で、圧接パンチ２１、２２間で圧接荷重を発生させる。これにより、図６によく示すように、電線９の端部９ａが、コネクタハウジング１２に支持された端子１１のスロット部１５に嵌め込まれるようにして圧接される。このとき、電線９の端部９ａが端子１１のスロット部１５と強く擦れることで、その端部９ａの絶縁被覆が部分的に破れて電線が一部露出して端子１１と接触することになる。圧接工程完了後は、付加していた圧接荷重が解除され、圧接パンチ２１がコネクタハウジング１２から引き離されて圧接コネクタ１が取り出されることになる。
【００２５】
上述した圧接工程を経て製作された圧接コネクタ１は、前述したように、相手側コネクタ１０に接続されて使用されることになる（図３、図４参照）。この場合、接続作業を行う作業者は、まず、圧接コネクタ１の操作部１４を指で押圧するようにしてこの圧接コネクタ１を把持する。この操作部１４の押圧操作により、一対の係合アーム１３が撓んだ状態になる。この状態で、圧接コネクタ１をその先端側から、即ち、圧接コネクタ１を電線９が引き出されている側とは反対側から相手側コネクタ１０の開口１０ａに向かって挿入する。圧接コネクタ１の相手側コネクタ１０への挿入動作の完了後、押圧操作していた操作部１４から指を外して押圧操作を解除する。これにより、一対の係合アーム１３の撓みが弾性回復により元の状態に戻り、各係合アーム１３の係合部１８が相手側コネクタ１０の各係合凹部１９に係合してロック状態となり、圧接コネクタ１と相手側コネクタ１０との接続が完了することになる。なお、この状態では、端子１１と相手側端子８とが接続されており、圧接コネクタ１と相手側コネクタ１０とが機械的に且つ電気的に接続されていることになる。
【００２６】
以上説明した圧接コネクタ１によると、相手側コネクタ１０に係合する一対の係合アーム１３がコネクタハウジング１２における幅方向両側に設けられている。そして、圧接荷重が付加される受圧部１７は、コネクタハウジング１２の一部として平板状に形成されているとともに一対の係合アーム１３の間に配置されている。このため、受圧部１７としてのまとまった広いスペースをコネクタハウジング１２の中央壁面付近に十分に確保することができ、且つ、コネクタハウジング１２の幅方向両側に効率よく配設された係合アーム１３の配置スペースが受圧部１７の配置スペースの寸法的制約となってしまうことも防止できる。すなわち、従来技術のように受圧壁のスペースを確保するために長大化を招いてしまうことも防止できる。また、係合アーム１３はコネクタハウジング１２の幅方向両側に設けられているため、コネクタハウジング１２の高さ方向の寸法が増大してしまうことも防止できる。したがって、相手側コネクタ１０に係合するためのロック機構も備えた圧接コネクタに関し、コネクタ外形寸法の長大化や高さ（厚み）寸法の増大を招くことを抑制でき、小型でコンパクトな圧接コネクタ１を得ることができる。
【００２７】
また、圧接コネクタ１によると、一対の係合アーム１３の各一端側を架橋する操作部１４を押圧操作することで、一対の係合アーム１３を同時に撓ませることができ、係合アーム１３の操作性を向上させることができる。
【００２８】
また、圧接コネクタ１によると、一対の係合アーム１３とその各一端側を架橋する操作部１４とが、矩形状に形成された受圧部１７の周囲の三辺に沿って配置されている。このため、係合アーム１３および操作部１４の配置スペースを受圧部１７の周囲にコンパクトに集約でき、係合アーム１３および操作部１４の配置スペースが受圧部１７の配置スペースの寸法制約となってしまうことを抑制できる。そして、係合アーム１３および操作部１４は受圧部１７に対して隙間を介して配置されているため、操作部１４の押圧操作が行われる際に、係合アーム１３および操作部１４が受圧部１７と干渉することも防止できる。このため、係合アーム１３および操作部１４を受圧部１７に対して平面的に密集するようにコンパクトに配設でき、コネクタハウジング高さ（厚み）方向の寸法が増大してしまうことを防止できる。
【００２９】
また、圧接コネクタ１によると、係合アーム１３における係合部１８の高さがコネクタハウジング１２の高さ方向における受圧部１７の高さ範囲内に収まるように形成されているため、圧接コネクタ１の高さ（厚み）寸法の増大を招いてしまうことをより効率よく抑制できる。
【００３０】
また、圧接コネクタ１によると、係合アーム１３においてコネクタハウジング１２に支持されている側とは反対側の自由端側に係合部１８が配設されているため、撓み変位量の大きい位置に係合部１８が配置されることになる。このため、コネクタハウジング１２が相手側コネクタ１０に接続されて係合部１８が相手側コネクタ１０へ係合する際に係合アーム１３の弾性回復に伴い生じる瞬間的で明確な振動を確実に発生させ易くすることができる。そして、コネクタハウジング１２を相手側コネクタ１０に接続する作業を行っている作業者は、その瞬間的な振動を手で感じることにより、又は、その瞬間的な振動に伴って発生する音を聴覚で認識することにより、すなわち、コネクタハウジング１２と相手側コネクタ１０との良好な嵌合感を知覚することにより、コネクタハウジング１２と相手側コネクタ１０とが適切に接続されたことを容易に確認することができる。
【００３１】
（第２実施形態）
次に、本発明の第２実施形態について説明する。図７は、第２実施形態に係る圧接コネクタ２を例示した斜視図である。また、図８は圧接コネクタ２の平面図で、図９は図８のIX線矢視図を示したものである。図７乃至図９に示す圧接コネクタ２は、第１実施形態の圧接コネクタ１と同様に構成されており、複数の端子１１（図示せず）、コネクタハウジング１２、一対の係合アーム２３、操作部１４等を備えて構成されている。但し、圧接コネクタ２は、係合アーム２３の構成が第１実施形態の係合アーム１３とは異なっている。以下、圧接コネクタ２の説明において、第１実施形態と同様の要素については同一の符号を付して説明を割愛する。
【００３２】
図７乃至図９に示すように、圧接コネクタ２の係合アーム２３は、第１実施形態の係合アーム１３と同様に、コネクタハウジング１２における幅方向両側にそれぞれ設けられており、コネクタハウジング１２の一方の側方に配置される係合アーム２３ａと他方の側方に配置される係合アーム２３ｂとで構成されている。しかし、第１実施形態の係合アーム１３はコネクタハウジング１２に対して片持ち状に支持されて一方向に向かってのみ延びる形状に形成されていたが、圧接コネクタ２においては、係合アーム２３は、そのアーム部分の略中央位置で支持柱２５を介してコネクタハウジング１２に対して支持されている。そして、係合アーム２３は、支持柱２５で支持された位置を中央にして、一端側が操作部１４に連結されており、他端側に係合部２４が設けられている（図９参照）。係合部２４は、係合アーム１３における支持柱２５に連結されている側において突設されている。
【００３３】
図７乃至図９に示す圧接コネクタ２は、図示しない相手側コネクタに接続された際には、係合アーム２３は、相手側コネクタの外側にてこの相手側コネクタに対して係合部２４にて係合するようになっている。すなわち、接続作業を行う場合は、作業者は、操作部１４を押圧操作することで、操作部１４をコネクタハウジング１２に対して接近する方向に変位させ、係合部２４をコネクタハウジング１２に対して離間する方向に変位させる。その状態で、作業者は、圧接コネクタ２を相手側コネクタに嵌合により接続する。そして、嵌合させた後に、操作部１４での押圧操作を解除して係合アーム２３の撓みを元の状態に戻し、相手側コネクタに対してその外側で係合アーム２３の係合部２４と係合させる。これにより、圧接コネクタ２と相手側コネクタとの接続作業が終了することになる。
【００３４】
以上説明した圧接コネクタ２においても、第１実施形態の圧接コネクタ１と同様の効果を奏することができる。すなわち、相手側コネクタに係合するためのロック機構も備えた圧接コネクタに関し、コネクタ外形寸法の長大化や高さ（厚み）寸法の増大を招くことを抑制でき、小型でコンパクトな圧接コネクタ２を得ることができる。
【００３５】
以上、本発明の実施形態について説明したが、本発明は上述の実施の形態に限られるものではなく、特許請求の範囲に記載した限りにおいて様々な変更が可能なものである。例えば、端子、コネクタハウジング、係合アームの形状については、本実施形態において例示したものに限らず、特許請求の範囲に記載した限りにおいて広く変形して実施してもよい。
【産業上の利用可能性】
【００３６】
本発明は、筒状体として形成される部分を有する少なくとも１つの端子を支持した状態で圧接荷重が付加されることで電線の端部がその端子に圧接される圧接コネクタに対して広く適用することができるものである。
【図面の簡単な説明】
【００３７】
【図１】本発明の第１実施形態に係る圧接コネクタを例示した斜視図である。
【図２】図１に示す圧接コネクタを示す他の斜視図である。
【図３】図１に示す圧接コネクタと相手側コネクタとを示す斜視図である。
【図４】図３に示す圧接コネクタと相手側コネクタとの接続した状態を示す斜視図である。
【図５】図１に示す圧接コネクタに関し、電線の端部を端子に圧接する工程を説明する側面図である。
【図６】図５の断面図を示したものである。
【図７】本発明の第２実施形態に係る圧接コネクタを例示した斜視図である。
【図８】図７に示す圧接コネクタの平面図である。
【図９】図８のIX線矢視図である。
【符号の説明】
【００３８】
１                      圧接コネクタ
９                      電線
９ａ                    電線の端部
１０                    相手側コネクタ
１１                    端子
１２                    コネクタハウジング
１３、１３ａ、１３ｂ    係合アーム
１４                    操作部
１５                    スロット部
１６                    支持部
１７                    受圧部
１８                    係合部
【図１】
2008027727.tif 000003
【図２】
2008027727.tif 000004
【図３】
2008027727.tif 000005
【図４】
2008027727.tif 000006
【図５】
2008027727.tif 000007
【図６】
2008027727.tif 000008
【図７】
2008027727.tif 000009
【図８】
2008027727.tif 000010
【図９】
2008027727.tif 000011